(57)【要約】【課題】家庭でも簡便に洗濯・乾燥・収納ができ、また敷布団の一部取替を可能とする敷布団と敷布団カバーを提供する。【解決手段】通常の大きさの敷布団を２個以上に分割し、分割された敷布団を各々敷布団カバーで包み覆う。該敷布団カバーの一端に筒状部材をカバーの幅方向に設け、さらに該筒状部材に取り付けられたファスナーと、隣接する敷布団の敷布団カバーに設けられたファスナーとを結合することにより、隣接する敷布団カバーを密接状態に連結し、敷布団どうしの間に隙間が生じないように連結する。【選択図】    図１
2007267997.tif 000002
【特許請求の範囲】
【請求項１】
分割した敷布団および該敷布団を包み覆うカバーからなり、該カバーの一端に筒状部材を設け、該筒状部分にファスナーを設け、該ファスナーと隣接する敷布団カバーに設けたファスナーとを結合することにより、分割した敷布団を連結すること、を特徴とする敷布団および敷布団カバー。
【発明の詳細な説明】
【技術分野】
【０００１】
寝具としての敷布団および敷布団カバーに関する。
【背景技術】
【０００２】
寝具としての布団のうち、掛布団に関しては、洗濯可能な素材が採用され軽量化が図られたことから、家庭で洗濯・乾燥が可能なものも市販されるようになったが、一方、敷布団は、敷布団の性質上１枚もので重量があり、家庭で簡便に洗濯・乾燥・収納ができるようなものは見当たらない。
【０００３】
このため、敷布団に関してはハウスダスト等によるアレルギー症・喘息に対処することが困難であり、また、身体から発汗される湿気によって発生する黴、特に敷布団の裏側に発生する黴、い対しては、布団乾燥機で乾燥するにしても敷布団を裏返して乾燥する必要があり、その上裏返しする作業は敷布団は１枚もので重量があることから力仕事となって非力な者にとっては辛い重労働となることから、簡便に乾燥処理することは困難である。
【０００４】
また、幼年者・要介護者においては、嘔吐物・排泄物・夜尿症・失禁症等による汚れ・悪臭等は避けられず、衛生面で問題が多く、それも敷布団において顕著でありかつ深刻な問題となっている。
【０００５】
さらに、敷布団の一部に問題が生じても、敷布団をそっくり買い替えなければならず、廃棄物として処理するにも、力仕事となることは勿論、廃棄物処理として環境保護上も多々問題が生じている。
【０００６】
特に、高年齢者が多くなった今日、上記の如き問題は、家庭のみならず、介護施設においても大きな問題となっている。
【０００７】
【特許文献１】特許電子図書館の公報テキスト検索（公開特許公報）で、以下の条件で検索したが、該当すると思料できるものはありません。                                      「要約と請求の範囲」  「布団」                                      ＡＮＤ  「要約と請求の範囲」  「カバー  袋」                                ＡＮＤ  「要約と請求の範囲」  「分割  分  別  わかれ  組」                            発見された件数は、４５件
【発明の開示】
【発明が解決しようとする課題】
【０００８】
本願発明の目的は、一つの敷布団として取り扱う敷布団としての軽量化を図り、家庭で洗濯・乾燥・収納が簡便にできるようにすることにある。
【０００９】
また、本願発明の目的は、敷布団の一部取替を可能にすることにある。
【００１０】
さらに、本願発明のさらなる目的は、分割した敷布団どうしの連結部分で、就寝時に違和感を生じさせないようにすることにある。
【課題を解決するための手段】
【００１１】
上記課題を解決するため、本願発明は、敷布団を分割することにより一つの敷布団として小型・軽量化を図り、扱い易くかつ家庭での洗濯を可能にした。
【００１２】
また、分割した敷布団を敷布団カバーで包み覆い、敷布団を包み覆うカバーに筒状部材を設け、筒状部材にファスナーを設け、該ファスナーと隣接する敷布団カバーに設けたファスナーとを結合することにより簡易に連結一体化できるようにし、さらに隣接する敷布団どうしを密着連結して連結部分に隙間を生ずることなく一体化できるようして連結部分で寝具として違和感を感じないようにした。
【００１３】
さらに、分割した敷布団を包み覆うカバーに設けた筒状部材に物干竿を貫通させることにより、簡便に天日乾燥等の乾燥処理を可能にした。
【発明の効果】
【００１４】
本願発明では、敷布団を分割し、一つの敷布団として小型・軽量化したことから、一つの敷布団として家庭の洗濯機で洗濯・乾燥が可能となり、収納も容易になった。
従って、汚れた部分の敷布団だけを洗濯・乾燥することができるようになった。
以上の結果、敷布団を清潔に保つことができ、またアレルギー症・喘息等に容易に対処できるようになった。
【００１５】
また、敷布団を分割したことから、一つの敷布団の取替が必要となったときは、その一つの敷布団を取り替えれば済むことになり、廃棄物の処理も容易になるともに、敷布団を経済的に使用できるようになった。
【００１６】
また、敷布団を分割したことから、子供の成長に合わせて敷布団の枚数を調整でき、経済的合理的な生活を送ることが可能になった。
【００１７】
さらに、本願発明では、分割した敷布団を包み覆うカバーに筒状部材を設けたことから、容易に物干竿を貫通させることができ、簡便に天日乾燥等による乾燥処理を可能にした。
【００１８】
また、敷布団を包み覆うカバーの筒状部材にファスナーを設けたことから、敷布団に比べカバーが緩んできても、隣接する敷布団どうしの連結部分に隙間を生ずることなく、隣接する敷布団どうしを連結一体化できるようになり、寝具として連結部分で違和感を感じることはなくなった（図２）。
【００１９】
また、敷布団を包み覆うカバーの筒状部材にファスナーを設け、該ファスナーと隣接する敷布団カバーに設けたファスナーとで、分割した敷布団どうしを連結一体化できるようにしたことから、敷布団の連結順序を変更すること、例えば３分割した敷布団の場合に身体中央部と脚部とを入れ替えること、により、長期間にわたって快適に使用できるようになった。
【発明を実施するための最良の形態】
【００２０】
図１に、本願発明の実施例のうち、敷布団を３等分に分割した例を示す。勿論２分割でもよく、また等分にする必要もないが、等分にすることにより、敷布団相互の互換性が生まれるので好都合であり、通常は等分に分割される。
なお、本実施例では、筒状部分を下側としているが、上側として用いてもよい。
【００２１】
図１に示すように、分割された敷布団１１は敷布団カバー２１によって包み覆われ、ファスナー等で封じられる（図示省略）。
一の敷布団の敷布団カバーに設けられた筒状部材２２に取り付けられたファスナー２５は、隣接する敷布団の敷布団カバーの下部に設けられたファスナー２６と結合化され、二つの敷布団カバーは密接状態に連結される。
なお、実施例では、筒状部材を敷布団カバーの幅一杯に連続して設けているが、部分的に、例えば両端・中央の３ヵ所に、設けてもよい。
また、ファスナーとしては、鉤止部材付きファスナー、通称マジックテープ（登録商標）が至便で通常多用されるが、両面接着テープで安価に済ますこともでき、また、これらテープを敷布団カバーの幅一杯に連続して設ける必要はなく、実施例のように、３ヵ所程度でも充分である。
【００２２】
また、図２に示すように、敷布団１１より敷布団カバー２１が大きくなって敷布団が敷布団カバー内でだぶつくような場合には、敷布団を敷布団カバー内で筒状部材２２から遠ざかるように寄せて、ファスナー２５とファスナー２６とを結合することにより、敷布団を隙間なく連結でき、就寝時に連結部分で違和感を生じないようにすることができる。
【００２３】
図３に、敷布団カバー２１に敷布団１１を包んだものを、筒状部材２２に物干竿３１を貫通させて、乾燥に供する場合の状況を示す。
【産業上の利用可能性】
【００２４】
本願発明は、人生の約３分の１を占める就眠に関する品に関するものであり、健康産業に資することすこぶる大なるものであって、産業上の利用可能性は極めて高いものである。
【００２５】
また、幼年者を養育する者、高年者を始めとする要介護者の面倒を看る者の力仕事を軽減することから、家事を始めとして診療・医療分野においても利用価値は高く、産業上の利用可能性は極めて高いものである。
【００２６】
さらに、廃棄物として廃棄される量の減少につながるものであり、環境保護上の上からも、産業上の利用可能性は極めて高いものである。
【図面の簡単な説明】
【００２７】
【図１】実施例の敷布団および敷布団カバーの使用状況を示す斜視図である。
【図２】敷布団が敷布団カバー内でだぶつく場合に対処した連結状況を示す断面図である。
【図３】実施例の敷布団および敷布団カバーを物干竿を使って乾燥する際の状況を示す斜視図である。
【符号の説明】
【００２８】
１１    敷布団
２１    敷布団カバー
２２    筒状部材
２５    ファスナー（その１）
２６    ファスナー（その２）
３１    物干竿
【図１】
2007267997.tif 000003
【図２】
2007267997.tif 000004
【図３】
2007267997.tif 000005